(57)【特許請求の範囲】
【請求項１】
一又は複数の室外機と複数の室内機とを有する一又は複数の空気調和装置の運転を、集中制御装置により集中制御可能とすると共に、上記室内機の運転を、この室内機に接続されたリモートコントローラにより制御可能とする空気調和システムにおいて、
上記集中制御装置は、上記リモートコントローラによる任意の室内機の設定温度Ｂが、一又は複数の空気調和装置へ集中制御装置から一律に送信される温度設定指令信号により定まる各室内機の設定温度Ａに対し所定の温度範囲にあるときに、上記リモートコントローラによる上述の任意の室内機の上記設定温度Ｂに基づく温度制御を許容することを特徴とする空気調和システム。
【請求項２】
上記所定範囲は、リモートコントローラによる任意の室内機の設定温度Ｂが、一又は複数の空気調和装置へ集中制御装置から一律に送信される温度設定指令信号により定まる各室内機の設定温度Ａ以下による場合、又は、上記設定温度Ａに対し前後一定の温度範囲内による場合であることを特徴とする請求項１に記載の空気調和システム。
【請求項３】
上記集中制御装置と一又は複数の空気調和装置との間に、シリアル信号とパラレル信号とを相互に変換可能とする第一通信アダプタ及び第二通信アダプタが介在されたことを特徴とする請求項１または２に記載の空気調和システム。
【発明の詳細な説明】
【０００１】
【発明の属する技術分野】
本発明は、複数の室内機を有する１又は複数の空気調和装置を集中的に制御する空気調和システムに関する。
【０００２】
【従来の技術】
例えば、ビルなどの空気調和システムにおいては、１又は複数の室外機と複数の室内機とを有する１又は複数の空気調和装置が、１台の集中制御装置により集中的に制御され、更に、各室内機が、これらの室内機に接続されたリモートコントローラにより制御可能に構成されたものが提案されている。
【０００３】
【発明が解決しようとする課題】
一般に、集中制御装置から温度設定指令信号を送信して、複数の空気調和装置の各室内機を設定温度に集中的に温度制御する場合、各室内機は、リモートコントローラによる制御が不可能であり、リモートコントローラによって上記設定温度を変更することができない。室内機によっては、上記設定温度が空調負荷に適合していない場合があり、この場合には、冷暖房が過剰であったり不足したりして、快適な空気調和を実現できない場合がある。
【０００４】
本発明の課題は、上述の事情を考慮してなされたものであり、集中制御装置による一又は複数の空気調和装置の温度制御中にも、室内機によるより快適な空気調和を実現できる空気調和システムを提供することにある。
【０００５】
【課題を解決するための手段】
請求項１記載の発明は、一又は複数の室外機と複数の室内機とを有する一又は複数の空気調和装置の運転を、集中制御装置により集中制御可能とすると共に、上記室内機の運転を、この室内機に接続されたリモートコントローラにより制御可能とする空気調和システムにおいて、上記集中制御装置は、上記リモートコントローラによる任意の室内機の設定温度Ｂが、一又は複数の空気調和装置へ集中制御装置から一律に送信される温度設定指令信号により定まる各室内機の設定温度Ａに対し所定の温度範囲にあるときに、上記リモートコントローラによる上述の任意の室内機の上記設定温度Ｂに基づく温度制御を許容するものである。
【０００６】
請求項２記載の発明は、請求項１に記載の発明において、上記所定範囲は、リモートコントローラによる任意の室内機の設定温度Ｂが、一又は複数の空気調和装置へ集中制御装置から一律に送信される温度設定指令信号により定まる各室内機の設定温度Ａ以下による場合、又は、上記設定温度Ａに対し前後一定の温度範囲内による場合であるようにしたものである。
【０００７】
請求項３記載の発明は、請求項１又は２に記載の発明において、上記集中制御装置と一又は複数の空気調和装置との間に、シリアル信号とパラレル信号とを相互に変換可能とする第一通信アダプタ及び第二通信アダプタが介在されたものである。
【０００８】
請求項１又は２に記載の発明には、次の作用がある。
【０００９】
集中制御装置は、リモートコントローラによる任意の室内機の設定温度Ｂが、一又は複数の空気調和装置へ集中制御装置から一律に送信される温度設定指令信号により定まる各室内機の設定温度Ａに対し所定の温度範囲にあるときに、リモートコントローラによる上述の任意の室内機の設定温度Ｂに基づく温度制御を許容したことから、集中制御装置が一又は複数の空気調和装置を集中的に温度制御している場合にも、各室内機による過剰な冷暖房を防止でき、又、冷暖房の不足を補うことができるので、より快適な空気調和を実現できる。
【００１０】
請求項３に記載の発明には、次の作用がある。
【００１１】
集中制御装置と一又は複数の空気調和装置との間に、シリアル信号とパラレル信号とを相互に変換可能とする第一通信アダプタ及び第二通信アダプタが介在されたことから、集中制御装置から送受信されるシリアル信号と、一又は複数の空気調和装置から送受信されるシリアル信号との仕様が異なっていても、両者を接続させることができ、空気調和システムの汎用性を高めることができる。
【００１２】
【発明の実施の形態】
以下、本発明の実施の形態を図面に基づいて説明する。
【００１３】
図１は、本発明に係る空気調和システムの一実施の形態を示す系統図である。
【００１４】
図１に示す空気調和システム１０は、複数の空気調和装置１１Ａ、１１Ｂ、１１Ｃ、１１Ｄ…の運転を、第１通信アダプタとしてのリモートステーション１６及び第２通信アダプタとしてのシリパラ入出力装置１７を介して、集中制御装置１２により集中的に制御可能とすると共に、後述の室内機１４、２０、２１、２２、２５、２６、２９の運転を、後述のリモートコントローラ１５Ａ、１５Ｂ、１５Ｃ、１５Ｄ、１５Ｅ、１５Ｆ、１５Ｇにより制御可能とするものである。
【００１５】
上記空気調和装置１１Ａは、１台の室外機１３に、３台の室内機１４が冷媒配管１８によって接続されて構成される。また、上記空気調和装置１１Ｂは、１台の室外機１９に、一連の２台の室内機２０と、２台の室内機２１、２２とが冷媒配管２３によって接続されて構成される。
【００１６】
更に、上記空気調和装置１１Ｃは、１台の室外機２４に、２台の室内機２５、２６が冷媒配管２７によって接続されて構成される。上記空気調和装置１１Ｄは、１台の室外機２８に、一連の４台の室内機２９が冷媒配管３０によって接続されて構成される。
【００１７】
上述の空気調和装置１１Ａ、１１Ｂ、１１Ｃ、１１Ｄは、それぞれ室外機１３、１９、２４、２８の図示しない圧縮機が電動モータ或いはエンジンにより駆動される形式の空気調和装置である。
【００１８】
前記集中制御装置１２は、前記リモートステーション１６に２線方式の第１シリアル通信線３１で接続され、リモートステーション１６とシリパラ入出力装置１７とが複数本のパラレル通信線３３で接続され、シリパラ入出力装置１７に空気調和装置１１Ａ、１１Ｂ、１１Ｃ、１１Ｄが２線方式の第２シリアル通信線３２を用いて接続されている。
【００１９】
第１シリアル通信線３１を介しての集中制御装置１２とリモートステーション１６の間と、第２シリアル通信線３２を介してのシリパラ入出力装置１７と空気調和装置１１Ａ、１１Ｂ、１１Ｃ、１１Ｄとの間で、同一又は異なった仕様のシリアル通信が実施される。上記リモートステーション１６及びシリパラ入出力装置１７は、シリアル信号とパラレル信号とを相互に変換する機器であり、第１シリアル通信線３１と第２シリアル通信線３２との間で異なった仕様のシリアル通信が送受信されているときに、これらの信号を集中制御装置１２と空気調和装置１１Ａ、１１Ｂ、１１Ｃ、１１Ｄ間で送受信させるときに有効に機能する。
【００２０】
集中制御装置１２は、第１シリアル通信線３１、リモートステーション１６、パラレル通信線３３、シリパラ入出力装置１７及び第２シリアル通信線３２を介して、複数の空気調和装置１１Ａ、１１Ｂ、１１Ｃ、１１Ｄを集中的に制御する。例えば、集中制御装置１２は、温度１０℃〜３５℃に対応する電圧信号１Ｖ〜５Ｖで設定される設定温度Ａを、温度設定指令信号としてシリアル信号の形式で一律に送信し、この電圧信号がシリパラ入出力装置１７により温度信号に変換されて複数の空気調和装置１１Ａ、１１Ｂ、１１Ｃ、１１Ｄへ一律に送信され、これらの空気調和装置１１Ａ、１１Ｂ、１１Ｃ、１１Ｄの各室内機１４、２０、２１、２２、２５、２６及び２９が上記設定温度Ａに集中的に制御可能とされる。
【００２１】
一方、前記リモートコントローラ１５Ａは、空気調和装置１１Ａの室内機１４に接続されて、この室内機１４の運転をグループ制御する。前記リモートコントローラ１５Ｂは、空気調和装置１１Ｂの室内機２０に接続されて、この室内機２０の運転をグループ制御し、前記リモートコントローラ１５Ｃ、１５Ｄは、空気調和装置１１Ｂの室内機２１、２２にそれぞれ接続されて、これらの室内機２１、２２の運転をそれぞれ制御する。また、リモートコントローラ１５Ｅ、１５Ｆは、空気調和装置１１Ｃの室内機２５、２６にそれぞれ接続されて、この室内機２５、２６の運転をそれぞれ制御する。更に、リモートコントローラ１５Ｇは、空気調和装置１１Ｄの室内機２９に接続されて、この室内機２９の運転をグループ制御する。
【００２２】
例えば、リモートコントローラ１５Ａは室内機１４を、リモートコントローラ１５Ｂは室内機２０を、リモートコントローラ１５Ｃは室内機２１を、リモートコントローラ１５Ｄは室内機２２を、リモートコントローラ１５Ｅは室内機２５を、リモートコントローラ１５Ｆは室内機２６を、リモートコントローラ１５Ｇは室内機２９をそれぞれ、同一又は異なる設定温度Ｂに設定すべく信号を送信して、これらの室内機１４、２０、２１、２２、２５、２６、２９を個別に温度制御可能とする。
【００２３】
更に、集中制御装置１２は、リモートコントローラ１５Ａ、１５Ｂ、１５Ｃ、１５Ｄ、１５Ｅ、１５Ｆ、１５Ｇによる任意の室内機１４、２０、２１、２２、２５、２６、２９の設定温度Ｂが、複数の空気調和装置１１Ａ、１１Ｂ、１１Ｃ、１１Ｄへ集中制御装置１２から一律に送信される温度設定指令信号により定まる各室内機１４、２０、２１、２２、２５、２６、２９の設定温度Ａに対し所定範囲内にあるときには、リモートコントローラ１５Ａ、１５Ｂ、１５Ｃ、１５Ｄ、１５Ｅ、１５Ｆ、１５Ｇによる任意の室内機１４、２０、２１、２２、２５、２６、２９の設定温度Ｂに基づくそれぞれの温度制御を許容する。
【００２４】
つまり、集中制御装置１２は、図２に示すように、空気調和システム１０の使用者又は据付者がシリパラ入出力装置１７に内蔵された図示しないディップスイッチを操作することにより選定されたレベル１、レベル２、レベル３又はレベル４の各レベルにおいて、リモートコントローラ１５Ａ、１５Ｂ、１５Ｃ、１５Ｄ、１５Ｅ、１５Ｆ、１５Ｇによる室内機１４、２０、２１、２２、２５、２６、２９のそれぞれの温度制御を許容する。
【００２５】
レベル１は、集中制御装置１２から空気調和装置１１Ａ、１１Ｂ、１１Ｃ、１１Ｄへ温度設定指令信号が一律に送信されて、各室内機１４、２０、２１、２２、２５、２６、２９が設定温度Ａに設定されている場合に、リモートコントローラ１５Ａ、１５Ｂ、１５Ｃ、１５Ｄ、１５Ｅ、１５Ｆ、１５Ｇによる室内機１４、２０、２１、２２、２５、２６、２９のそれぞれの温度制御を禁止させるものであり、すべての空気調和装置１１Ａ、１１Ｂ、１１Ｃ、１１Ｄが集中制御装置１２により集中制御される。この場合には、リモートコントローラ１５Ａ、１５Ｂ、１５Ｃ、１５Ｄ、１５Ｅ、１５Ｆ、１５Ｇには、集中制御装置１２による「集中管理」の旨を表示させる。なお、このレベル１において、集中制御装置１２から温度設定指令信号が送信されていない場合には、リモートコントローラ１５Ａ、１５Ｂ、１５Ｃ、１５Ｄ、１５Ｅ、１５Ｆ、１５Ｇによりそれぞれ室内機１４、２０、２１、２２、２５、２６、２９の温度制御が可能となる。
【００２６】
レベル２は、集中制御装置１２から空気調和装置１１Ａ、１１Ｂ、１１Ｃ、１１Ｄへ温度設定指令信号が一律に送信されて、各室内機１４、２０、２１、２２、２５、２６、２９が設定温度Ａに設定されている場合で、リモートコントローラ１５Ａ、１５Ｂ、１５Ｃ、１５Ｄ、１５Ｅ、１５Ｆ、１５Ｇによりそれぞれ設定される任意の室内機１４、２０、２１、２２、２５、２６、２９の設定温度Ｂが上記設定温度Ａ以下であるときに、リモートコントローラ１５Ａ、１５Ｂ、１５Ｃ、１５Ｄ、１５Ｅ、１５Ｆ、１５Ｇによる室内機１４、２０、２１、２２、２５、２６、２９のそれぞれの温度制御を許容するものである。リモートコントローラ１５Ａ、１５Ｂ、１５Ｃ、１５Ｄ、１５Ｅ、１５Ｆ、１５Ｇにより設定される任意の室内機１４、２０、２１、２２、２５、２６、２９の設定温度Ｂが上記設定温度Ａ以上になるときには、リモートコントローラ１５Ａ、１５Ｂ、１５Ｃ、１５Ｄ、１５Ｅ、１５Ｆ、１５Ｇによる室内機１４、２０、２１、２２、２５、２６、２９のそれぞれの温度制御を禁止し、この場合、リモートコントローラ１５Ａ、１５Ｂ、１５Ｃ、１５Ｄ、１５Ｅ、１５Ｆ、１５Ｇに集中制御装置１２による「集中管理」の旨を表示する。
【００２７】
レベル３は、集中制御装置１２から空気調和装置１１Ａ、１１Ｂ、１１Ｃ、１１Ｄへ温度設定指令信号が一律に送信されて、各室内機１４、２０、２１、２２、２５、２６、２９が設定温度Ａに設定されている場合で、リモートコントローラ１５Ａ、１５Ｂ、１５Ｃ、１５Ｄ、１５Ｅ、１５Ｆ、１５Ｇによりそれぞれ設定される任意の室内機１４、２０、２１、２２、２５、２６、２９の設定温度Ｂが、上記設定温度Ａに対し±ｘ℃（ｘは任意の値）の温度範囲内にあるときに、リモートコントローラ１５Ａ、１５Ｂ、１５Ｃ、１５Ｄ、１５Ｅ、１５Ｆ、１５Ｇによる１４、２０、２１、２２、２５、２６、２のそれぞれの温度制御を許容するものである。上記設定温度Ｂが上記設定温度Ａに対し±ｘ℃の温度範囲外にあるときには、リモートコントローラ１５Ａ、１５Ｂ、１５Ｃ、１５Ｄ、１５Ｅ、１５Ｆ、１５Ｇによる室内機１４、２０、２１、２２、２５、２６、２９のそれぞれの温度制御を禁止し、この場合、リモートコントローラ１５Ａ、１５Ｂ、１５Ｃ、１５Ｄ、１５Ｅ、１５Ｆ、１５Ｇに集中制御装置１２による「集中管理」の旨を表示する。このレベル３において、リモートコントローラ１５Ａ、１５Ｂ、１５Ｃ、１５Ｄ、１５Ｅ、１５Ｆ、１５Ｇによりそれぞれ設定された室内機１４、２０、２１、２２、２５、２６、２９の設定温度Ｂを、設定後所定時間（数分又は数十分）経過後に、集中制御装置１２により設定された設定温度Ａに戻すことも可能である。
【００２８】
レベル４は、集中制御装置１２から空気調和装置１１Ａ、１１Ｂ、１１Ｃ、１１Ｄへ温度設定指令信号が一律に送信されて、各室内機１４、２０、２１、２２、２５、２６、２９が設定温度Ａに設定されている場合にも、リモートコントローラ１５Ａ、１５Ｂ、１５Ｃ、１５Ｄ、１５Ｅ、１５Ｆ、１５Ｇによる室内機１４、２０、２１、２２、２５、２６、２９のそれぞれ温度制御を随時許容するものである。
【００２９】
集中制御装置１２は、上述のレベル１〜レベル４のいずれかに基づいて、空気調和装置１１Ａ、１１Ｂ、１１Ｃ、１１Ｄへ温度設定指令信号を送信している場合にも、リモートコントローラ１５Ａ、１５Ｂ、１５Ｃ、１５Ｄ、１５Ｅ、１５Ｆ、１５Ｇによる空気調和装置１１Ａ、１１Ｂ、１１Ｃ、１１Ｄの室内機１４、２０、２１、２２、２５、２６、２９の温度制御に融通性を持たせる。
【００３０】
従って、上記実施の形態による空気調和システム１０によれば、次の効果▲１▼及び▲２▼を奏する。
【００３１】
集中制御装置１２は、リモートコントローラ１５Ａ、１５Ｂ、１５Ｃ、１５Ｄ、１５Ｅ、１５Ｆ、１５Ｇによるそれぞれ任意の室内機１４、２０、２１、２２、２５、２６、２９の設定温度Ｂが、複数の空気調和装置１１Ａ、１１Ｂ、１１Ｃ、１１Ｄへ集中制御装置１２から一律に送信される温度設定指令信号により定まる各室内機１４、２０、２１、２２、２５、２６、２９の設定温度Ａ以下にある場合（レベル２）、又は設定温度Ａに対し±ｘ℃の温度範囲内にある場合に（レベル３）、リモートコントローラ１５Ａ、１５Ｂ、１５Ｃ、１５Ｄ、１５Ｅ、１５Ｆ、１５Ｇによる上述の任意の室内機１４、２０、２１、２２、２５、２６、２９の設定温度Ｂに基づく温度制御を許容したことから、集中制御装置１２が複数の空気調和装置１１Ａ、１１Ｂ、１１Ｃ、１１Ｄを集中的に温度制御している場合にも、各室内機１４、２０、２１、２２、２５、２６、２９による過剰な冷暖房を防止でき、又、冷暖房の不足を補うことができるので、より快適な空気調和を実現できる。
【００３２】
▲２▼集中制御装置１２と複数の空気調和装置１１Ａ、１１Ｂ、１１Ｃ、１１Ｄとの間に、シリアル信号とパラレル信号とを相互に変換可能とするリモートステーション１６及びシリパラ入出力装置１７が介在されたことから、集中制御装置１２から送受信されるシリアル信号と、複数の空気調和装置１１Ａ、１１Ｂ、１１Ｃ、１１Ｄから送受信されるシリアル信号との仕様が異なっていても、両者を接続させることができ、空気調和システム１０の汎用性を高めることができる。
【００３３】
以上、一実施の形態に基づいて本発明を説明したが、本発明はこれに限定されるものではない。例えば、上述のレベル３において、リモートコントローラ１５Ａ、１５Ｂ、１５Ｃ、１５Ｄ、１５Ｅ、１５Ｆ、１５Ｇによる温度制御を許容する範囲±ｘ℃は、正方向と負方向の絶対値（ｘ）がそれぞれ異なる値であってもよい。
【００３４】
また、空気調和装置１１Ａ、１１Ｂ、１１Ｃ、１１Ｄでは、室外機が複数台あるものであってもよく、また、室外機と室内機とが１台づつ接続されたものでもよい。
【００３５】
【発明の効果】
以上のように、本発明に係る空気調和システムによれば、集中制御装置は、リモートコントローラによる任意の室内機の設定温度Ｂが、複数の空気調和装置へ集中制御装置から一律に送信される温度設定指令信号により定まる各室内機の設定温度Ａに対し所定の温度範囲にあるときに、上記リモートコントローラによる上述の任意の室内機の設定温度Ｂに基づく温度制御を許容することから、集中制御装置による複数の空気調和装置の温度制御中にも、各室内機による過剰な冷暖房を防止でき、又、冷暖房の不足を補うことができるので、より快適な空気調和を実現できる。
【図面の簡単な説明】
【図１】本発明に係る空気調和装置の一実施の形態を示す系統図である。
【図２】集中制御装置とリモートコントローラとによる温度制御を説明するためのグラフである。
【符号の説明】
１０  空気調和システム
１１Ａ〜１１Ｄ  空気調和装置
１２  集中制御装置
１３  室外機
１４  室内機
１５Ａ〜１５Ｇ  リモートコントローラ
１６  リモートステーション（第一通信アダプタ）
１７  シリパラ入出力装置（第二通信アダプタ）
１９  室外機
２０  室内機
２１  室内機
２２  室内機
２４  室外機
２５  室内機
２６  室内機
２８  室外機
２９  室内機
３１  第１シリアル通信線
３２  第２シリアル通信線
３３  パラレル通信線
Ａ、Ｂ  設定温度
【図１】
0003768003.tif 000002
【図２】
0003768003.tif 000003